(57)【要約】【課題】  例えば履物の底部とアッパー部との境界部に設けられる線状部材として適した、反射機能を有する新規な見かけ上のラインピースを提供する。【解決手段】  本発明の見かけ上のラインピースは、芯材となるラインピース３を、反射機能を有したテープ状の布材５で巻き包み、再帰反射を行うように形成するものであり、この際、ラインピース３としては、反射面側が凸面形状となる細棒状のものを適用し、一方、布材５としては、少なくともラインピース３の外周面に相当する部分に光の反射機能を持たせたテープ状のものを適用するものであり、見かけ上のラインピースを、二つの部材の境界部に取り付けるにあたっては、布材５を二つの接合部材に対する接着代として、両部材間に挟み込むように取り付けることを特徴とする。【選択図】図２
2005349218.tif 000002
【特許請求の範囲】
【請求項１】
少なくとも二つの部材を接合してなる境界部に、外部に露見するように設けられる見かけ上のラインピースであって、
この見かけ上のラインピースは、芯材となるラインピースを、反射機能を有したテープ状の布材で巻き包み、再帰反射を行うように形成するものであり、
この際、芯材となるラインピースとしては、反射面側が凸面形状となる細棒状のものが適用され、
一方、芯材を巻き包む布材としては、少なくともラインピースの外周面に相当する部分に反射機能を持たせたテープのものが適用されるものであり、
見かけ上のラインピースを、二つの部材の境界部に取り付けるにあたっては、布材を二つの接合部材に対する接着代として、両部材間に挟み込むように取り付けることを特徴とする光の反射機能を有する見かけ上のラインピース。  
【請求項２】
芯材となるラインピースを、反射機能を有したテープ状の布材で巻き包み、再帰反射を行う見かけ上のラインピースを製造する方法において、
前記ラインピースには、反射面側が凸面形状となる細棒状のものを適用し、
一方、前記布材としては、少なくともラインピースの外周面に相当する部分に光の反射機能を持たせたテープ状のものを適用するようにしたことを特徴とする、光の反射機能を有する見かけ上のラインピースの製造方法。
【発明の詳細な説明】
【技術分野】
【０００１】
本発明は、本出願人が既に特許出願に及んでいる特開２００５−４０３６５（特願２００３−２７７９５５）「光の反射機能を有する履物、及び光の反射機能を有するラインピースの製法」に開示された一部であって、例えば履物の底部とアッパー部との境界部に設けられる線状部材として適した、見かけ上のラインピースに関するものである。
【背景技術】
【０００２】
夜間や薄暗い時刻に路上にいると、人は自動車の運転者から見えにくくて、自動車に衝てられたりする危険がある。そこで、自動車によるこのような危険を避けるために、路上で作業をする人は、光を反射する機能を有する作業衣や襷などを着用して、自動車の前照灯を当てられると、その光を反射して運転者に自己の存在が確実に認識されるようにしている。
しかしながら、主として「健康」などを目的として、このような時刻に歩いたり走ったりする人にとっては、このような特定の衣服などは着用することができない。そのため従来からこのような人には、アッパーの部位の側面や踵の部分後ろなどに反射機能を有する布材を取り付けた靴が用いられていた（例えば特許文献１参照）。
【０００３】
通常、靴はアッパーの部分と靴底の部分は材質がまったく相違するものの、両者はともに無地色であり、スポーツシューズやジョギングシューズ等の特殊な用途のものだけがアッパーの部位に、その靴のメーカーを表す意匠が施されているに過ぎない。
光の反射機能を有する布材は、靴のアッパーとは異質なものであるから、靴の意匠性を損なうことのないことが求められるので、比較的小さなものでなければならず、その取り付け位置は靴のアッパーの部位の側面と踵の後ろ面とに限られたのである。しかしながら、自動車の前照灯は、路上にいる人に対して側方や後方からだけでなく、前方や斜方などからも向けられるので、上記したような限定された狭い範囲にだけ反射性布材の取り付けられた履物は、その方向からだけしか目視確認できないため殆んど実効性がなかった。
また、光を反射する面積が狭ければ、自動車の運転者からは見えにくい、という不具合もあった。しかも寒い時期にはズボンやパンツをはく人が多く、殊に高齢者は足首を覆うような長めのものを履くことが多いので、このような履物では反射性布材がその裾により覆い隠されてしまって、その機能を充分に発揮することができなくなる可能性が生じる。
【０００４】
このようなことから日没後の交通事故が増大しており、反射機能を有した履物（特開２００５−４０３６５）は、このような事故を解消する対策として、静岡県警察本部の依頼と協力を受けて開発されたものである。
【特許文献１】実開昭４９−１３７７３１号公報
【発明の開示】
【発明が解決しようとする課題】
【０００５】
〔分割出願を試みた技術的事項〕
原出願では、芯材となるラインピースを、反射機能を有したテープ状の布材のほぼ中央に巻き包んで、見かけ上のラインピースを形成している。この際、芯材を覆わないテープ状布材の端部同士を、拝み合わせ状態に形成し、ここをアッパー部と履物底部とに対する接着代とし、見かけ上のラインピースを両部材間に挟み込むように取り付けている。このため、反射材としての見かけ上のラインピースが極めて小さく形成でき、このものを、あたかも一構成部材であるかのように、さりげなく履物等に組み込むことができる。その反面、一旦、自動車からの光が当てられた場合には、全ての方向からの照射光を反射（再帰反射）させるため、ドライバーからの目視確認が確実に行えるものである。また、ラインピース自体が極細の部材であっても布材で巻き包むため履物等に確実に取り付けることができる。
【０００６】
このように原出願では、反射材としての見かけ上のラインピースを極力小さく形成し、デザイン的にシューズと融合させながらも、優れた反射機能を実現したものであるが、見かけ上のラインピースは、必ずしも履物に限定されるものではなく、例えばランドセル、帽子、カサ、ハンドバッグ等、人が外出時に身に付ける種々のものへの適用が有効である。このため、見かけ上のラインピースは、それ自体でも独立して評価し得るものであり、原出願を分割出願に及び別途権利取得を試みるものである。
【課題を解決するための手段】
【０００７】
すなわち請求項１記載の、光の反射機能を有する見かけ上のラインピースは、少なくとも二つの部材を接合してなる境界部に、外部に露見するように設けられる見かけ上のラインピースであって、この見かけ上のラインピースは、芯材となるラインピースを、反射機能を有したテープ状の布材で巻き包み、再帰反射を行うように形成するものであり、
この際、芯材となるラインピースとしては、反射面側が凸面形状となる細棒状のものが適用され、一方、芯材を巻き包む布材としては、少なくともラインピースの外周面に相当する部分に反射機能を持たせたテープのものが適用されるものであり、見かけ上のラインピースを、二つの部材の境界部に取り付けるにあたっては、布材を二つの接合部材に対する接着代として、両部材間に挟み込むように取り付けることを特徴として成るものである。
【０００８】
また請求項２記載の、光の反射機能を有する見かけ上のラインピースの製造方法は、芯材となるラインピースを、反射機能を有したテープ状の布材で巻き包み、再帰反射を行う見かけ上のラインピースを製造する方法において、前記ラインピースには、反射面側が凸面形状となる細棒状のものを適用し、一方、前記布材としては、少なくともラインピースの外周面に相当する部分に光の反射機能を持たせたテープ状のものを適用するようにしたことを特徴として成るものである。
【発明の効果】
【０００９】
本発明の見かけ上のラインピースは、例えば靴底とアッパーなどの境界部に、ほぼ全周にわたって光の反射機能を持たせ得るものであり、ズボンやパンツの裾によって覆い隠されることなく、全ての方向から当てられる光も反射するので、その存在が確実に認識されるという利点がある。
【発明を実施するための最良の形態】
【００１０】
例えば靴を履いた人の存在が確実に認識されるという目的を、履物自体の意匠をなんら損なうことなく、むしろ意匠性を高めた状態で実現した。
【実施例１】
【００１１】
図１は、本発明の見かけ上のラインピースを取り付けた履物の一実施例を示す説明図であり、靴底の上縁とアッパーとの間にラインピースを有する靴を例にして、靴底の外周及びラインピースとに光の反射機能を持たせたものの一例を示してある。
【００１２】
この実施例では履物は、靴底とラインピースの部分に光の反射機能を持たせてあり、それ以外は通常のこの種の靴と変わるところはない。すなわち図中符号１はアッパー、２は靴底、３はラインピースであり、これらは通常の歩行用やジョギング用の靴のものと同様である。
この実施例では履物は、靴底２の外周面とラインピース３に光の反射機能を持たせてあり、靴底２の外周面に反射機能を持たせる手段については特に限定はしない。例えば通常の方法により成形された靴底２の外周面に光の反射機能を有するフィルム４を貼着するか、またはその面に光の反射機能を有する塗料を塗布してその塗膜を形成することもできるし、あるいは靴底２自体を光の反射機能を有する材料を用いて成形することもできる。このように本実施例では、靴底２の外周面の全周、もしくは、ほぼ全周に光の反射機能を生じさせるものである。
【００１３】
また、ラインピース３については、このものを、光の反射機能を有するテープ状の布材５により巻き包んで見かけ上のラインピースとし、これを靴の所定の位置に取り付けるものである。
この見かけ上のラインピースを製造するには、外側面の、少なくともラインピース３の外周面に相当する部分に光の反射機能を持たせたテープ状の布材５の内側面に接着剤を塗布し、これによりラインピース３を巻き包んで布材５の中にラインピース３を貼着する。すると、上下面が布材５により構成された（見かけ上の）光の反射機能を有するラインピースとなる。この見かけ上のラインピースは、布材５がアッパー１と靴底２に対する接着代となり、本来のラインピース３に比べて接着代が格段に広くなるので、細い棒状のラインピース３を、アッパー１と靴底２との間の所定の位置に確実に取り付けられる効果がある。
【００１４】
なお、図示の実施例では図２に示したように、ラインピース３は外面の幅を広くし、且つその外周面を僅かな凸面形状にし、光の反射機能を有するテープ状の布材５をそれに巻き包んで見かけ上のラインピースとし、これを靴の所定の位置に取り付けることにより、凸面形状の反射面にしてある。即ち、ラインピース３をこのような形状にすると、外面が平坦に形成されたものに比べて光の反射光が見えやすくなり、実際のものよりも更に幅の広いラインピース３が取り付けられているような効果が生じるのである。
【００１５】
図示の実施例では、靴底２の外周とラインピース３に光の反射機能を持たせたものを示したが、少なくともラインピース３にその機能を持たせればその効果は得られる。また、光の反射機能はラインピース３に間断なく持たせる必要はなく、すべての方向から確認をすることのできる範囲内で間歇的に持たせればよい。
【産業上の利用可能性】
【００１６】
この発明は、見かけ上のラインピースを取り付けた、靴等の意匠性を損なうことがなく、むしろ意匠の効果を高め得るものである。このため、例えば健康を目的として履く靴に限らず、通常のファッション性の高い靴にも適用することができ、サンダルや工事用の保安靴等、種々の製品に用いることができる。
【図面の簡単な説明】
【００１７】
【図１】履物の一実施例を示す一部切欠説明図である。
【図２】ラインピースの一例を示す説明図である。
【符号の説明】
【００１８】
１    アッパー
２    靴底
３    ラインピース
４    フィルム
５    布材
【図１】
2005349218.tif 000003
【図２】
2005349218.tif 000004